(57)【要約】【課題】様々な形状のコンクリート打設面に対して共通の設備を用いて養生を行うことができるコンクリート養生装置を提供する。【解決手段】トンネル１００のコンクリート面の少なくとも一部を覆ってコンクリートの養生を行うための養生シート２と、養生シート２をコンクリート面に対して所定位置に保持するための養生シート支持装置６と、を有し、養生シート支持装置６は、養生シート２をコンクリート面に対して所定位置に保持するための、膨張可能な袋状の養生バルーン４と、養生バルーン４の長手方向の長さを調節可能な養生バルーン長さ調節手段１４と、を含む。【選択図】図１０
2020200683.tif 000002
【特許請求の範囲】
【請求項１】
コンクリート面の少なくとも一部を覆ってコンクリートの養生を行うための養生シートと、
前記養生シートを前記コンクリート面に対して所定位置に保持するための養生シート支持装置と、を有し、
前記養生シート支持装置は、
前記養生シートを前記コンクリート面に対して所定位置に保持するための、膨張可能な袋状の養生バルーンと、
前記養生バルーンの長手方向の長さを調節可能な養生バルーン長さ調節手段と、を含む、
ことを特徴とするコンクリート養生装置。
【請求項２】
前記養生バルーン長さ調節手段は、袋状の前記養生バルーンを所望の長さ位置で閉塞可能に構成される、
請求項１に記載のコンクリート養生装置。
【請求項３】
前記養生バルーンは、アーチ状に膨張可能である、
請求項１または請求項２に記載のコンクリート養生装置。
【請求項４】
前記養生シート支持装置は、前記コンクリート面の面方向に対して移動可能な移動手段を有する、
請求項１から請求項３のいずれか１項に記載のコンクリート養生装置。
【請求項５】
前記養生バルーンが所定形状に膨張するのを補助するための、膨張可能な袋状の補助バルーンを有する膨張補助装置を更に備える、
請求項１から請求項４のいずれか１項に記載のコンクリート養生装置。
【請求項６】
前記補助バルーンは、アーチ状に膨張可能である、
請求項５に記載のコンクリート養生装置。
【請求項７】
前記膨張補助装置は、前記補助バルーンの長手方向の長さを調節可能な補助バルーン長さ調節手段を含む、
請求項５または６に記載のコンクリート養生装置。
【請求項８】
前記膨張補助装置は、前記コンクリート面の面方向に対して移動可能な移動手段を有する、
請求項５から請求項７に記載のコンクリート養生装置。
【請求項９】
コンクリート面の少なくとも一部を養生シートで覆ってコンクリートの養生を行うためのコンクリート養生方法であって、
膨張可能な袋状の養生バルーンの長手方向の長さを、養生を行う前記コンクリート面の形状に応じて調節する養生バルーン長さ調節工程と、
前記養生バルーンを膨張させて、養生シートを前記コンクリート面に対して所定位置に保持する養生バルーン膨張行程と、を含む
ことを特徴とするコンクリート養生方法。
【請求項１０】
前記養生バルーン長さ調節工程は、前記養生バルーンを所望の長さで閉塞することによって行われる、
請求項９に記載のコンクリート養生方法。
【請求項１１】
前記養生バルーン膨張行程を行って前記コンクリート面の養生が終了した後、前記養生バルーンを膨張させたまま前記コンクリート面から離し、前記養生バルーンを前記コンクリート面の面方向に対して移動させ、前記養生バルーンを養生すべき次のコンクリート面に近接させて前記養生シートを前記次のコンクリート面に対して所定位置に保持する次養生工程を更に含む、
請求項９または請求項１０に記載のコンクリート養生方法。
【請求項１２】
前記養生バルーンに対して前記養生シートとは反対側において袋状の補助バルーンを配置し、前記補助バルーンを膨張させることによって前記養生バルーンが所定形状に膨張するのを補助する膨張補助工程を更に含む、
請求項９から請求項１１のいずれか１項に記載のコンクリート養生方法。
【請求項１３】
前記養生バルーンの形状に応じて、前記補助バルーンの長手方向の長さを調節する補助バルーン長さ調節工程を更に含む、
請求項１２に記載のコンクリート養生方法。
【請求項１４】
前記膨張補助工程の後、前記補助バルーンを膨張させたまま前記養生バルーンから離し、前記補助バルーンを前記コンクリート面の面方向に対して移動させ、前記補助バルーンを膨張すべき次の養生バルーンに対して近接させて前記養生バルーンが所定形状に膨張するのを補助する次膨張補助工程を更に含む、
請求項１２または請求項１３に記載のコンクリート養生方法。
【発明の詳細な説明】
【技術分野】
【０００１】
本発明は、コンクリート養生装置及びコンクリート養生方法に関する。
【背景技術】
【０００２】
従来、トンネル等のコンクリートの打設を行う際には、例えば特許文献１に記載されるように、トンネル内面に対して養生を行う必要がある。特許文献１に記載の養生方法では、トンネル内面に保水シートとしての不織布と有孔導水管とを配置し、その内側から空気チューブを膨らませることにより、不織布及び有孔導水管をトンネル内面に押しつける。その後有孔導水管から水を供給して不織布に吸収させることにより、コンクリートの湿潤状態を維持する。
【先行技術文献】
【特許文献】
【０００３】
【特許文献１】特開平１０−１０２７７３号公報
【発明の概要】
【発明が解決しようとする課題】
【０００４】
ところで、トンネル工法においては、様々なトンネルの形状、寸法に対応して、専用の設備を用意する必要がある。前述の特許文献１に記載の養生方法においても、各トンネルに対して専用の不織布、有孔導水管、及び空気チューブを用意する必要があり、その設計及び製造に相当の時間と費用を必要とする。この問題はトンネルのコンクリート打設の場合に限らず、様々な形状のコンクリート打設面に対して養生を行う場合に起こりうる問題である。
本発明の目的は、上記のような問題に鑑み、様々な形状のコンクリート打設面に対して共通の設備を用いて養生を行うことができるコンクリート養生装置を提供することにある。
【課題を解決するための手段】
【０００５】
上記の目的を達成するために、本発明のコンクリート養生装置は、コンクリート面の少なくとも一部を覆ってコンクリートの養生を行うための養生シートと、養生シートをコンクリート面に対して所定位置に保持するための養生シート支持装置と、を有し、養生シート支持装置は、養生シートをコンクリート面に対して所定位置に保持するための、膨張可能な袋状の養生バルーンと、養生バルーンの長手方向の長さを調節可能な養生バルーン長さ調節手段と、を含む、ことを特徴としている。
【０００６】
このような構成の本発明によれば、養生バルーンの長手方向の長さが調節可能な養生バルーン長さ調節手段を有するので、養生バルーンの長さを調節することにより、養生バルーンで養生シートを所定位置に保持するための範囲を調節することが可能になる。これにより、様々な寸法、形状のコンクリート打設面に対して養生を行うことが可能になり、コンクリート養生装置の汎用性が向上する。
【０００７】
本発明においては、好ましくは、養生バルーン長さ調節手段は、袋状の養生バルーンを所望の長さ位置で閉塞可能に構成される。
このように構成された本発明によれば、養生バルーン長さ調節手段が、袋状の養生バルーンを所望の長さ位置で閉塞可能に構成されているので、養生バルーンの閉塞位置を調節することにより、簡単に養生バルーンの長さの調節が可能になる。
【０００８】
本発明においては、好ましくは、養生バルーンは、アーチ状に膨張可能である。
このように構成された本発明によれば、養生バルーンがアーチ状に膨張可能であるので、例えばトンネル内面のようなアーチ状のコンクリート打設面に対しても養生バルーンがコンクリート打設面の形状に沿って膨張するから、養生シートがコンクリ−ト打設面に沿って配置され、良好に養生が行われる。
【０００９】
本発明においては、好ましくは、養生シート支持装置は、コンクリート面の面方向に対して移動可能な移動手段を有する。
このように構成された本発明によれば、養生シート支持装置がコンクリート面の面方向に対して移動可能な移動手段を有するので、養生シートをコンクリート面に対して所定位置に保持して養生を行った後、養生シート支持装置を移動させて次のコンクリート面に対して養生シートを保持することが可能になる。よって、少ない設備でより大きな面積の養生を行うことが可能になり、養生作業が効率的になる。
【００１０】
本発明においては、好ましくは、養生バルーンが所定形状に膨張するのを補助するための、膨張可能な袋状の補助バルーンを有する膨張補助装置を更に備える。
このように構成された本発明によれば、膨張補助装置の補助バルーンが養生バルーンを補助して養生バルーンが所定形状に膨張するのを助けるので、養生バルーンが確実に所定形状に膨張し、養生シートが確実に所定位置に保持される。
【００１１】
本発明においては、好ましくは、補助バルーンは、アーチ状に膨張可能である。
このように構成された本発明によれば、補助バルーンがアーチ状に膨張可能であるので、例えばトンネル内面のようなアーチ状のコンクリート打設面に対しても補助バルーンがコンクリート打設面の形状に沿って膨張するから、養生バルーンがコンクリート打設面に沿って膨張することが可能になり、養生が良好に行われる。特に養生バルーンがアーチ状に膨張可能である場合には、補助バルーンが養生バルーンの形状に沿って膨張するので、より確実に養生バルーンを補助することが可能になる。
【００１２】
本発明においては、好ましくは、膨張補助装置は、補助バルーンの長手方向の長さを調節可能な補助バルーン長さ調節手段を含む。
このように構成された本発明によれば、補助バルーン長さ調節手段を含むので補助バルーンの長さを調節することにより、養生バルーンを補助する範囲を調節することが可能になる。これにより、様々な寸法、形状の養生バルーンを補助することが可能になり、これにより様々な寸法、形状のコンクリート打設面に対して養生を行うことができるから、コンクリート養生装置の汎用性が向上する。
【００１３】
本発明においては、好ましくは、膨張補助装置は、コンクリート面の面方向に対して移動可能な移動手段を有する。
このように構成された本発明によれば、膨張補助装置がコンクリート面の面方向に対して移動可能な移動手段を有するので、養生バルーンを所定形状に膨張させるのを補助した後、膨張補助装置を移動させて次のコンクリート面に対して養生バルーンの膨張を補助することが可能になる。よって、少ない設備でより大きな面積の養生を効率的に行うことが可能になる。
【００１４】
また、上記の目的を達成するために、本発明のコンクリート養生方法は、コンクリート面の少なくとも一部を養生シートで覆ってコンクリートの養生を行うためのコンクリート養生方法であって、膨張可能な袋状の養生バルーンの長手方向の長さを、養生を行うコンクリート面の形状に応じて調節する養生バルーン長さ調節工程と、養生バルーンを膨張させて、養生シートをコンクリート面に対して所定位置に保持する養生バルーン膨張行程と、を含むことを特徴としている。
【００１５】
このように構成された本発明によれば、養生バルーン長さ調節工程により養生バルーンの長手方向の長さを調節するので、養生バルーンで養生シートを所定位置に保持するための範囲を調節することが可能になる。これにより、様々な寸法、形状のコンクリート打設面に対して養生を行うことが可能になり、コンクリート養生装置の汎用性が向上する。
【００１６】
本発明においては、好ましくは、バルーン長さ調節工程は、養生バルーンを所望の長さで閉塞することによって行われる。
このように構成された本発明によれば、袋状の養生バルーンを所望の長さ位置で閉塞することによって、簡単に養生バルーンの長さの調節が可能になる。
【００１７】
本発明においては、好ましくは、養生バルーン膨張行程を行ってコンクリート面の養生が終了した後、養生バルーンを膨張させたままコンクリート面から離し、養生バルーンをコンクリート面の面方向に対して移動させ、養生バルーンを養生すべき次のコンクリート面に近接させて養生シートを次のコンクリート面に対して所定位置に保持する次養生工程を更に含む。
このように構成された本発明によれば、養生バルーン膨張行程を行って養生シートを所定位置に保持してコンクリート面の養生を行った後、養生バルーンを膨張させたまま次のコンクリート面へ移動して次の養生シートを保持するので、少ない設備でより大きな面積の養生を行うことが可能になり、養生作業が効率的になる。
【００１８】
本発明においては、好ましくは、養生バルーンに対して養生シートとは反対側において袋状の補助バルーンを配置し、補助バルーンを膨張させることによって養生バルーンが所定形状に膨張するのを補助する膨張補助工程を更に含む。
このように構成された本発明によれば、補助バルーンが養生バルーンを補助して養生バルーンが所定形状に膨張するのを助けるので、養生バルーンが確実に所定形状に膨張し、養生シートが確実に所定位置に保持される。
【００１９】
本発明においては、好ましくは、養生バルーンの形状に応じて、補助バルーンの長手方向の長さを調節する補助バルーン長さ調節工程を更に含む。
このように構成された本発明によれば、補助バルーンの長手方向の長さを調節するので、養生バルーンを補助する範囲を調節することが可能になる。これにより、様々な寸法、形状の養生バルーンを補助することが可能になり、これにより様々な寸法、形状のコンクリート打設面に対して養生を行うことができるから、コンクリート養生装置の汎用性が向上する。
【００２０】
本発明においては、好ましくは、膨張補助工程の後、補助バルーンを膨張させたまま養生バルーンから離し、補助バルーンをコンクリート面の面方向に対して移動させ、補助バルーンを膨張すべき次の養生バルーンに対して近接させて養生バルーンが所定形状に膨張するのを補助する次膨張補助工程を更に含む。
このように構成された本発明によれば、補助バルーンを膨張させたままコンクリート面の面方向に対して移動させるので、養生バルーンを所定形状に膨張させるのを補助した後、補助バルーンを移動させて次のコンクリート面に対して養生バルーンの膨張を補助することが可能になる。よって、少ない設備でより大きな面積の養生を効率的に行うことが可能になる。
【図面の簡単な説明】
【００２１】
【図１】本発明の一実施形態に係るコンクリート養生装置の養生シート支持装置を示す正面図である。
【図２】本発明の一実施形態に係るコンクリート養生装置の養生シート支持装置を示す側面図である。
【図３】本発明の一実施形態に係る養生シート支持装置の養生バルーン長さ調節手段を示す断面図である。
【図４】本発明の一実施形態に係るコンクリート養生装置の膨張補助装置を示す正面図である。
【図５】本発明の一実施形態に係るコンクリート養生装置の膨張補助装置を示す側面図である。
【図６】本発明の一実施形態に係る膨張補助装置の補助バルーンの補助バルーン長さ調節手段を示す部分拡大図である。
【図７】本発明の一実施形態に係る補助バルーン長さ調節手段を示す部分拡大図である。
【図８】本発明の一実施形態に係るコンクリート養生方法を示す図である。
【図９】本発明の一実施形態に係るコンクリート養生方法を示す図である。
【図１０】本発明の一実施形態に係るコンクリート養生方法を示す図である。
【図１１】本発明の一実施形態に係るコンクリート養生方法を示す図である。
【図１２】本発明の一実施形態に係るコンクリート養生方法を示す図である。
【図１３】本発明の変形例に係るコンクリート養生方法を示す図である。
【発明を実施するための形態】
【００２２】
以下、本発明の好ましい実施形態を添付図面を参照して説明する。
図１は、本発明の一実施形態に係るコンクリート養生装置の養生シート支持装置を示す正面図であり、図２は、本発明の一実施形態に係るコンクリート養生装置の養生シート支持装置を示す側面図であり、図３は、本発明の一実施形態に係る養生シート支持装置の養生バルーン長さ調節手段を示す断面図であり、図４は、本発明の一実施形態に係るコンクリート養生装置の膨張補助装置を示す正面図であり、図５は、本発明の一実施形態に係るコンクリート養生装置の膨張補助装置を示す側面図である。
【００２３】
これらの図１乃至５に示すように、本発明の一実施形態に係るコンクリート養生装置は、コンクリート面の少なくとも一部を覆ってコンクリートの養生を行うための養生シート２（図８参照）と、養生シート２をコンクリート面に対して所定位置に保持するための養生バルーン４を備えた養生シート支持装置（図１及び２参照）６と、養生シート支持装置６の養生バルーン４が所定形状に膨張するのを補助するための膨張補助装置８（図４及び５）と、を備える。
なお、本実施形態では、トンネル１００（図８参照）の内面に打設されたコンクリートを養生するためのコンクリート養生装置について説明する。
【００２４】
養生シート２は、トンネル１００の内面のアーチ状の内周全体を覆うことができる長さと、トンネル１００の内面の長さ方向の所定距離を覆うことができる長さを有するシート状部材である。
養生シート支持装置６は、図１及び図２に示すように、養生バルーン４と、養生バルーン４の両端を支持する支持台１０と、２つの支持台１０を載置するジャッキ台１２と、を有する。支持台１０の一方の内部には、養生バルーン４の長手方向の長さを調節可能な養生バルーン長さ調節手段１４が配置されている。
【００２５】
養生バルーン４は、トンネル１００の長さ方向に沿って等間隔に配置可能な複数（本実施形態では５本）のメインバルーン１６と、メインバルーン１６同士を連結するサブバルーン１８と、を有する。
メインバルーン１６は、アーチ状に膨張可能な袋状に形成され、一方の端部が一方の支持台１０に固定されている。この一方の端部付近には、メインバルーン１６内に空気を注入するためのバルブ２０と、メインバルーン１６内の圧力を検出するための圧力センサ接続部２２とが設けられている。メインバルーン１６の他方の端部は、養生バルーン長さ調節手段１４に挿入されている。この他方の端部付近には、養生バルーンの長さ調節のための目印２４が所定間隔を隔てて複数設けられている。
メインバルーン１６は、一重の袋状に形成されていてもよいが、例えば同じ素材のシートを二枚重ねて、あるいは異なる素材のシートを二枚重ねて、二重に形成されていてもよい。
【００２６】
サブバルーン１８は、５本のメインバルーン１６を互いに連結するために、トンネル１００の長さ方向に沿って延びる袋状のバルーンである。サブバルーン１８は、メインバルーン１６をアーチ状に膨張させたときのアーチ状の頂点付近及びその両側に所定間隔をあけて２本配置され、計３本配置されている。３本のサブバルーン１８にはそれぞれ内部に空気を入れるためのバルブ（図示せず）とサブバルーン１８の内部の圧力を検出するための圧力センサ接続部（図示せず）とが設けられている。
【００２７】
他方の支持台１０の内部に設けられた養生バルーン長さ調節手段１４は、メインバルーン１６の他方の端部を挟み込むローラ２６及び押さえガイド２８と、ローラ２６を押さえガイド２８に対して押しつけるためのプッシャ３０と、プッシャ３０をローラ２６の半径方向に進退可能に支持するシリンダ３２と、を有する。
ローラ２６は、プッシャ３０の進退方向に沿って若干移動可能に設けられており、これにより押さえガイド２８に対して近接離間可能に設けられている。
押さえガイド２８は、その内面がローラ２６の外面に対向して設けられた円弧状の部材であり、内面の半径は、ローラ２６の外径とほぼ同じである。したがって、押さえガイド２８とローラ２６との間には、円弧状の隙間３４が形成される。この隙間３４の距離は、円弧状の全域にわたってほぼ同じ距離になっており、この隙間３４にメインバルーン１６の端部が挿入されている。
【００２８】
プッシャ３０は、その先端側に、ローラ２６の外径とほぼ同じ半径の円弧形の内面を有し、ローラ２６の外面に当接可能に設けられている。プッシャ３０の基端側はシリンダ３２に固定されている。
シリンダ３２は、プッシャ３０をローラ２６の外面に押しつけて隙間３４に挿入されたメインバルーン１６をローラ２６と押さえガイド２８との間に挟み込んで袋状のメインバルーン１６を閉塞する閉塞位置と、プッシャ３０をローラ２６の外面から離間させてメインバルーン１６の挟み込みを開放する開放位置との間で移動可能である。
【００２９】
次に、膨張補助装置８について説明する。
膨張補助装置８は、図４及び図５に示すように、膨張可能な袋状の補助バルーン３６と、補助バルーン３６の端部を支持する台車３８と、を有する。
補助バルーン３６は、トンネル１００の長さ方向に沿って等間隔に複数（本実施形態では５本）設けられており、補助バルーン３６の間には、隣接する補助バルーン３６を互いに連結する連結シート４０が設けられている。補助バルーン３６の両端は、端部を開口した状態で台車３８に接続されている。
補助バルーン３６は、一重の袋状に形成されていてもよいが、例えば同じ素材のシートを二枚重ねて、あるいは異なる素材のシートを二枚重ねて、二重に形成されていてもよい。
【００３０】
補助バルーン３６の両端付近には、補助バルーン３６の長手方向の長さを調節可能な補助バルーン長さ調節手段４２が設けられている。
図６及び図７は、本発明の一実施形態に係る膨張補助装置８の補助バルーン３６の補助バルーン長さ調節手段４２を示す部分拡大図である。図６に示すように、補助バルーン長さ調節手段４２は、補助バルーン３６の両端付近の外周にそれぞれ設けられたフラップ４４と、フラップ４４に設けられたはとめ４６とを有する。
【００３１】
フラップ４４は、一対設けられ、上方のフラップ４４Ａは上端が補助バルーン３６に外周に固定され下方に向かって延び、下方のフラップ４４Ｂは下端が補助バルーン３６の外周に固定され上方に向かって延びる。本実施形態では、図４及び図５に示すように、一対のフラップ４４の組が上下に二組設けられており、上下の組のフラップ４４では、上下のフラップ４４間の距離が異なっている。具体的には、上の組のフラップ４４の上下のフラップ４４間の距離は、下の組のフラップ４４の上下のフラップ４４間の距離よりも大きく設定されている。
【００３２】
補助バルーン３６の長さを調節する際には、図７に示すように、上方のフラップ４４Ａのはとめ４６と下方のフラップ４４Ｂのはとめ４６との間に紐４８を通し、上下のフラップ４４Ａ，４４Ｂの間の補助バルーン３６を縮めた状態で紐４８を縛る。補助バルーン３６の各端にはそれぞれ上下二組の一対のフラップ４４が設けられているから、これらの組み合わせることにより、様々な長さにわたって補助バルーン３６を縮めることができる。具体的には、上の組のフラップ４４の上下フラップ４４Ａ，４４Ｂを縛る場合、下の組のフラップ４４の上下フラップ４４Ａ、４４Ｂを縛る場合、上の組のフラップ４４の上方のフラップ４４Ａと下の組のフラップ４４の下方のフラップを縛る場合等が考えられる。また、長さ調節手段４２は補助バルーン３６の両端に設けられているので、一方の長さ調節手段４２において長さ調節を行う場合と両方の長さ調節手段４２において長さ調節を行う場合を使い分けることによっても、補助バルーン３６を異なる長さに調節することができる。
【００３３】
台車３８は、補助バルーン３６の両端をそれぞれ固定する支持プレート５０と、支持プレート５０を移動可能に支持する車輪５２と、支持プレート５０を介して補助バルーン３６の内部に空気を送る送風ユニット５４と、を有する。台車３８は、車輪５２を有することによって台車３８の設置面に対して補助バルーン３６を移動可能に支持するから、台車３８は、本発明の移動手段としての機能を果たす。
【００３４】
以上のように構成されたコンクリート養生装置を用いたコンクリート養生方法について以下に説明する。
図８〜図１２は、本発明の一実施形態に係るコンクリート養生方法を示す図である。まず、内面にコンクリートが打設された状態のトンネル１００内面の形状、寸法に応じて、養生バルーン４の長さを調節する養生バルーン長さ調節工程及び補助バルーン３６の長さを調節する補助バルーン長さ調節工程を行う。
【００３５】
具体的には、養生シート長さ調節工程においては、養生バルーン長さ調節手段１４のシリンダ３２を開放位置に位置させた状態で、メインバルーン１６の端部をローラ２６から引き出す、またはメインバルーン１６の端部を隙間３４に入れ込んで、メインバルーン１６の端部の長さを調節する。メインバルーン１６の長さの調節の際には、目印２４を目安にするとよい。メインバルーン１６を所望の長さに調整した後、シリンダ３２を開放一から閉塞位置へと移動させ、プッシャ３０をローラ２６に押しつけることにより、ローラ２６が押さえガイド２８に押しつけられて、隙間３４を塞ぐ。これにより、メインバルーン１６は所望の長さ位置において閉塞されて、メインバルーン１６の長さが調節される。
【００３６】
補助バルーン長さ調節工程は、図６及び図７を用いて説明したように、適宜フラップ４４を選択してフラップ４４の一方のはとめ４６と他方のフラップ４４のはとめ４６とを紐４８で縛ることにより、補助バルーン３６の長さをちょうせつする。
【００３７】
養生バルーン長さ調節工程及び補助バルーン長さ調節工程の後、トンネル１００内部の設置面１０２に、養生シート２と、養生シート支持装置６と、膨張補助装置８とを設置する。この設置工程では、図８に示すように、膨張補助装置８の補助バルーン３６に空気を入れずに収縮させた状態で、一対の台車３８をトンネル１００の両端に配置する。このとき、車輪５２による支持が不安定である場合には、例えば台車３８にアウトリガー等を設けて、台車３８を所定位置に固定してもよい。
補助バルーン３６の台車３８の外側に、養生バルーン４が補助バルーン３６の上側に位置するように、養生シート支持装置６を配置する。このとき、養生バルーン４のメインバルーン１６が補助バルーン３６の上方に位置するように養生バルーン４を配置するが、これに限らず、養生バルーン４のメインバルーン１６が補助バルーン３６の間の連結シート４０の上方に位置していてもよい。
そして、養生バルーン４の上方に養生シート２を配置する。
【００３８】
次に、養生バルーン４のサブバルーン１８を膨張させるサブバルーン膨張行程を行う。サブバルーン膨張行程では、計５本のサブバルーン１８に空気を注入し、サブバルーン１８を膨張させる。この行程により、サブバルーン１８が膨張し、養生バルーン４の錘の役割を果たし、養生バルーン４が補助バルーン３６上で安定して位置決めされる。
【００３９】
その後、図９に示すように、補助バルーン３６を膨張させて養生バルーン４及び養生シート２を支持して養生バルーン４が所定形状に膨張するのを補助する膨張補助工程を行う。この膨張補助工程では、台車３８に取り付けられた送風ユニット５４から補助バルーン３６に空気を送り、補助バルーン３６を膨張させる。圧力センサにより補助バル−ん３６内の圧力を監視し、所定圧力まで到達したら送風を停止する。空気が供給された補助バルーン３６はアーチ状に膨張して、養生バルーン４及び養生シート２を上方にアーチ状に持ち上げる。なお、送風ユニット５４による送風は、所定圧力を維持できる場合には上述のように停止してもよいが、所定圧力を保持するように続けてもよい。
【００４０】
膨張補助工程の後、図１０に示すように養生バルーン４を膨張させる養生バルーン膨張行程を行う。養生バルーン膨張行程では、各メインバルーン１６のバルブ２０から空気を注入し、メインバルーン１６を膨張させる。圧力センサ接続部２２に接続された圧力センサによりメインバルーン１６内の圧力を監視し、所定圧力に到達したとき、空気の供給を停止する。メインバルーン１６は補助バルーン３６に下側から支えられてるため、途中で座屈する等の変形がなく、アーチ状に膨張する。そして養生バルーン４は、養生シート２を上に押し上げて、養生シート２をトンネル１００内面のコンクリート面に接触させるかまたはコンクリート面から所定距離を保った状態で保持する。
なお、メインバルーン１６への空気の供給は、メインバルーン１６内の所定圧力を維持できる場合には上述のように停止してもよいが、所定圧力を保持するように続けてもよい。
【００４１】
このように、養生バルーン４で養生シート２を保持した状態を維持することにより、図１１に示すように、養生シート２は、トンネル１００のコンクリート面を覆って、コンクリート面の湿潤状態を維持し養生を行う。
【００４２】
養生バルーン４が所定形状のアーチ状に膨張した状態では、養生バルーン４は補助バルーン３６がなくても所定形状を維持することができるので、養生バルーン膨張行程を行った後は、養生バルーン４及び養生シート２で養生を行っている間に、膨張補助装置８を養生すべき次のコンクリート面に移動させて、次のコンクリート面における養生バルーンの膨張を補助する次膨張補助工程を行う。
図１２は、本発明の一実施形態に係るコンクリート養生方法を示す図である。この図１２に示すように、補助バルーン３６の空気を少し抜いて補助バルーン３６を若干しぼませる。すると、補助バルーン３６は、膨張したままで養生バルーン４から離れる。この状態で、補助バルーン３６の台車３８を移動させて膨張補助装置８をトンネル１００の長手方向に移動させて、既に養生シート２及び養生バルーン４が配置された領域に隣接した領域である、次に養生すべき領域に位置決めする。そして補助バルーン３６の上に新たな養生バルーン４及び養生シート２を配置し、補助バルーン３６を再び膨張させることによって養生バルーン４及び養生シート２を持ち上げる。その後、養生バルーン４を膨張させることにより、次に養生すべき領域を養生シート２で覆う。これを繰り返し、養生シート２をトンネル１００の所望の長さにわたって配置する。
【００４３】
このように構成された本実施形態によれば、次のような優れた効果を得ることができる。
養生シート支持装置６が、養生バルーン４の長手方向の長さを調節可能な養生バルーン長さ調節手段１４を有するので、養生バルーン４の長さを調節することができる。よって養生バルーン４によって養生シート２を配置する範囲を調節することができ、様々なトンネル１００の形状及び寸法に対応して養生シート２を支持することができる。よってコンクリート養生装置の汎用性を向上させることができる。
【００４４】
養生バルーン長さ調節手段１４が、ローラ２６及び押さえガイド２８を有し、メインバルーン１６の端部を所望の長さ位置で閉塞可能に構成したので、メインバルーン１６の閉塞位置を変更するだけで養生バルーン４の長さを簡単に調節することができる。
【００４５】
養生バルーン４のメインバルーン１６がアーチ状に膨張可能であるので、トンネル１００の内面のようなアーチ状のコンクリート面に対して養生バルーン４が良好に沿うことができる。これにより、養生シート２をアーチ状のコンクリート面に良く沿うように配置することができるから、コンクリート面の養生を確実に行うことができる。
【００４６】
膨張補助装置８を有するので、養生バルーン４が膨張する際に途中で座屈せずアーチ状に膨張するのを補助することができる。よって養生バルーン４を確実にアーチ状に膨張させることができ、養生シート２をトンネル１００のコンクリート面に対して所定位置に保持することができる。
【００４７】
膨張補助装置８の補助バルーン３６がアーチ状に膨張可能であるので、トンネル１００の内面のようなアーチ状のコンクリート面及びアーチ状の養生バルーン４に対して補助バルーン３６を良好に沿わせることができる。これにより、養生バルーン４をアーチ状に確実に膨張させることができる。
【００４８】
膨張補助装置８の補助バルーン３６がフラップ４４及びはとめ４６による補助バルーン長さ調節手段４２を有するので、補助バルーン３６を様々な形状、寸法に対応して膨張させることができる。よって様々な寸法、形状のトンネル１００のコンクリート面に対して養生バルーン４及び養生シート２を支持することができるから、コンクリート養生装置の汎用性を向上させることができる。
【００４９】
養生シート２をコンクリート面に対して配置する際には、養生バルーン４の長さを調節する養生バルーン長さ調節工程を行うので、養生バルーン４の長さをトンネル１００の内面の形状や寸法に合わせて調節することができる。よって様々な形状や寸法のトンネル１００に対して共通の養生シート支持装置６を使用することができるから、コンクリート養生装置の汎用性を向上させることができる。
【００５０】
養生バルーン４を膨張させる際には、補助バルーン３６を膨張させて養生バルーン４をアーチ状に膨張する補助を行う膨張補助工程を行うので、補助バルーン３６によって養生バルーン４をアーチ状に確実に膨張させることができる。これにより養生シート２を確実にコンクリート面に対して所定位置に保持することができ、コンクリートの養生を確実に行うことができる。
【００５１】
膨張補助装置８を使用する際には、フラップ４４及びはとめ４６による、補助バルーン３６の長さを調節する補助バルーン長さ調節工程を行うので、様々な形状及び寸法の養生バルーン４に対応して補助バルーン３６の膨張寸法、膨張形状を調節することができる。よって様々な寸法、形状のコンクリート面に対して養生を行うことができる。
【００５２】
膨張補助工程の後、補助バルーン３６を若干しぼませて、膨張させたまま養生バルーン４から離し、次の養生領域に移動させて次膨張補助工程を行うので、同じ膨張補助装置８を用いて複数の養生バルーン４の膨張補助を順次行うことができる。よってより少ない設備で効率的に養生作業を行うことができる。
【００５３】
本発明は、以上の実施の形態に限定されることなく、例えば、以下のような態様であってもよい。
前述の実施形態では、養生シート支持装置６は、ジャッキ台１２の上に固定されていたが、これに限らず、コンクリート面の面方向に対して移動可能な移動手段を有していてもよい。この場合には、養生シートによるコンクリート面の養生が終了した後、養生バルーン４を膨張させたままコンクリート面から離し、養生バルーンをコンクリート面の面方向に対して移動させ、養生すべき次のコンクリート面に近接させて養生シートを次に養生すべきコンクリート面に対して所定位置に保持する次養生工程を行ってもよい。
【００５４】
具体的な構造について説明すると、図１３は、本発明の変形例に係るコンクリート養生方法を示す図である。この図１３に示すように、２つの養生シート支持装置６は、養生バルーン４を取り付けた台車６０を有し、この台車６０には車輪６２が設けられている。このように養生シート支持装置６は、台車６０の車輪６２によってトンネル１００の長手方向に移動可能となっている。また、この台車６０は、養生バルーン４を上下方向に移動可能な昇降装置６４を有している。よってこの変形例において台車６０は本発明における養生シート支持装置の移動手段として機能する。
【００５５】
このような構造の養生シート支持装置６では、２つの養生シート２及び養生シート支持装置６を用いて２つの養生領域を養生し、１つ目の養生シート２による養生が終了したら、１つ目の養生バルーン４を昇降装置６４によって下方に移動させ、養生バルーン４を膨張させたままコンクリート面から離間する方向に移動させる。養生シート２は養生バルーン４の下降に伴ってコンクリート面から離れ、養生バルーン４の上に載置される。この状態で台車６０を移動させて、２つ目の養生バルーン４の内側を通り、２つ目の養生領域に隣接する次の養生領域まで養生シート２及び養生シート支持装置６を移動させる。そして昇降装置６４によって養生バルーン４を上昇させることにより、次の養生領域のコンクリート面に対して養生シート２を所定位置に保持する。
【００５６】
このような構成の養生シート支持装置６であれば、２組の養生シート２及び養生シート支持装置６を用いて順次養生を行うことができるから、より少ない設備で効率的に養生を行うことができる。
【００５７】
上述の実施形態では、膨張補助装置は移動手段を有していたが、必ずしも移動手段を有していなくてもよい。また、移動手段を有していない場合でも、膨張補助装置を次のコンクリート面の養生のための養生シートの補助のために使用してもよい。その場合には、膨張補助装置の補助バルーンを一旦収縮させ、養生すべき次のコンクリート面の位置に設置した後、改めて補助バルーンを膨張させてもよい。
上述の実施形態では、補助バルーンは、フラップ及びはとめによる補助バルーン長さ調節手段を有していたが、これに限らず例えば筒状の補助バルーン部品をファスナ等で任意の数連結することによって補助バルーンの長さを調節してもよい。また、補助バルーンは補助バルーン長さ調節手段を有していたが、これに限らず、補助バルーン長さ調節手段を有していなくてもよい。
更に、膨張補助装置は、補助バルーンの長さを調節することによって養生バルーンの所定形状への膨張を補助していたが、これに限らず、例えば補助バルーンの高さを調節することによって養生バルーンの膨張を補助してもよい。具体的には、補助バルーンの端部の間隔、例えば前述の実施形態では、台車３８間の間隔を狭めることにより、補助バルーンのアーチの高さを高くして、養生バルーンの持ち上げを補助してもよい。この場合には、補助バルーンのアーチの高さを高くすることにより、様々な形状、寸法のコンクリート面に対応して養生バルーンの補助を行うことが可能になる。
【００５８】
また、上述の実施形態では、補助バルーンはアーチ状に形成されていたが、これに限らず、養生するコンクリート面の形状や寸法等を勘案して任意の形状を採用することができる。
上述の実施形態では、膨張補助装置を用いて養生バルーンの膨張を補助していたが、形状やバルーンの材質、寸法等によっては膨張補助装置を用いなくても養生バルーンを所定形状に膨張させることができる場合があるので、必ずしも膨張補助装置を用いる必要はない。
【００５９】
上述の実施形態では、養生バルーンは、袋状の養生バルーンを所望の長さで閉塞することによってその長さを調節していたが、これに限らず、例えば補助バルーンと同様にバルーンの長さを短縮可能に構成する、筒状の養生バルーン部品をファスナ等で任意の数連結する等の任意の方法で長さを調節すればよい。
また、養生バルーンは、アーチ状に形成されていたが、これに限らず、養生するコンクリート面の形状や寸法等を勘案して任意の形状を採用することができる。
【００６０】
上述の実施形態では、養生バルーンはサブバルーンで連結され補助バルーンは連結シートで連結されていたが、これに限らず複数の養生バルーンまたは補助バルーンを個々に台車に連結してもよい。また、養生バルーン及び補助バルーンの数は、実施形態の５つ一組であるものに限らず、自由に設定してよく、１つずつ配置して使用してもよい。
【００６１】
上述の実施形態では、トンネル内面のコンクリート面を養生する装置及び方法について説明したが、本発明は、トンネルに限らず、斜面や曲面、垂直面等、養生シートを配置しにくい任意の形状のコンクリート面を養生する装置及び方法として使用することができる。
【符号の説明】
【００６２】
２  養生シート
４  養生バルーン
６  養生シート支持装置
８  膨張補助装置
１４  養生バルーン長さ調節手段
３６  補助バルーン
３８  台車（移動手段）
４２  補助バルーン長さ調節手段
６０  台車（移動手段）
【図１】
2020200683.tif 000003
【図２】
2020200683.tif 000004
【図３】
2020200683.tif 000005
【図４】
2020200683.tif 000006
【図５】
2020200683.tif 000007
【図６】
2020200683.tif 000008
【図７】
2020200683.tif 000009
【図８】
2020200683.tif 000010
【図９】
2020200683.tif 000011
【図１０】
2020200683.tif 000012
【図１１】
2020200683.tif 000013
【図１２】
2020200683.tif 000014
【図１３】
2020200683.tif 000015